(57)【要約】【課題】イメージデータを出力するソース装置及びイメージデータに基づいて表示動作を遂行するシンク装置を含む液晶表示装置において、表示性能を向上させる。【解決手段】ソース装置は、表示動作が遂行される間中にイメージデータを構成するイメージフレームのフレームレートを可変とする。シンク装置は、イメージフレームのフレームレートが可変とされることにしたがって、表示動作のためのパネル駆動フレーム内の垂直ブランク区間の長さ（時間）を調節することで、パネル駆動フレームのフレームレートを可変とする。また、シンク装置は、パネル駆動フレームのフレームレートを可変とする際、シンク装置に含まれた表示パネルに印加される共通電圧を調節する。【選択図】図１
2019128591.tif 000002
【特許請求の範囲】
【請求項１】
イメージデータを出力するソース装置と、
前記イメージデータに基づいて表示動作を遂行するシンク装置とを含み、
前記ソース装置は、前記表示動作が遂行される間中に、前記イメージデータを構成するイメージフレームのフレームレートを可変とし、
前記シンク装置は、前記イメージフレームのフレームレートが可変とされることにしたがって、前記表示動作のためのパネル駆動フレーム内の垂直ブランク区間を調節することで、前記パネル駆動フレームのフレームレートを可変とし、
前記シンク装置は、前記パネル駆動フレームのフレームレートを変化させる際、前記シンク装置に含まれた表示パネルに印加される共通電圧を調節することを特徴とする、液晶表示装置。
【請求項２】
前記パネル駆動フレームのフレームレートを変化させても、前記パネル駆動フレーム内のアクティブ区間の長さは一定に維持されることを特徴とする、請求項１に記載の液晶表示装置。
【請求項３】
前記シンク装置は、前記パネル駆動フレームのフレームレートについて、前記イメージフレームのフレームレートと同一の値を有するように可変とすることを特徴とする、請求項１に記載の液晶表示装置。
【請求項４】
前記ソース装置が前記イメージフレームのフレームレートを増加させれば、前記シンク装置は、前記パネル駆動フレーム内における前記垂直ブランク区間の長さを減少させることで、前記パネル駆動フレームのフレームレートを増加させることを特徴とする、請求項３に記載の液晶表示装置。
【請求項５】
前記ソース装置が前記イメージフレームのフレームレートを減少させれば、前記シンク装置は、前記パネル駆動フレーム内の前記垂直ブランク区間の長さを増加させることで、前記パネル駆動フレームのフレームレートを減少させることを特徴とする、請求項３に記載の液晶表示装置。
【請求項６】
前記シンク装置は、前記共通電圧を線形的に調節することを特徴とする、請求項１に記載の液晶表示装置。
【請求項７】
前記シンク装置は、前記表示パネルに印加される画素電圧が正（positive）の電圧レベルを有する時、前記共通電圧を線形的に増加または減少させることを特徴とする、請求項６に記載の液晶表示装置。
【請求項８】
前記シンク装置は、前記表示パネルに印加される画素電圧が負（negative）の電圧レベルを有する時、前記共通電圧を線形的に増加または減少させることを特徴とする、請求項６に記載の液晶表示装置。
【請求項９】
前記シンク装置は、前記共通電圧を非線形的に調節することを特徴とする、請求項１に記載の液晶表示装置。
【請求項１０】
前記シンク装置は、前記表示パネルに印加される画素電圧が正の電圧レベルを有する時、前記共通電圧を非線形的に増加または減少させることを特徴とする、請求項９に記載の液晶表示装置。
【請求項１１】
前記シンク装置は、前記表示パネルに印加される画素電圧が負の電圧レベルを有する時、前記共通電圧を非線形的に増加または減少させることを特徴とする、請求項９に記載の液晶表示装置。
【請求項１２】
前記シンク装置は、前記パネル駆動フレームの開始時点で、前記共通電圧について基準電圧レベルを有するようにリセットすることを特徴とする、請求項１に記載の液晶表示装置。
【請求項１３】
前記シンク装置は、前記パネル駆動フレームの前記開始時点で、前記共通電圧を調節し始めることを特徴とする、請求項１２に記載の液晶表示装置。
【請求項１４】
前記シンク装置は、前記パネル駆動フレームの前記開始時点から、既に設定された時間だけ経過した第１時点で、前記共通電圧を調節し始めることを特徴とする、請求項１２に記載の液晶表示装置。
【請求項１５】
前記シンク装置は、前記パネル駆動フレームの前記開始時点から、前記第１時点までにわたって、前記共通電圧を前記基準電圧レベルに維持することを特徴とする、請求項１４に記載の液晶表示装置。
【請求項１６】
前記第１時点は、前記パネル駆動フレーム内における前記垂直ブランク区間の開始時点であることを特徴とする、請求項１５に記載の液晶表示装置。
【請求項１７】
前記第１時点は、前記パネル駆動フレームについての前記開始時点から、前記パネル駆動フレームの最小許容時間だけ経過した時点であることを特徴とする、請求項１５に記載の液晶表示装置。
【請求項１８】
前記ソース装置は、前記表示動作により表示されるイメージの特性に応じて、前記イメージフレームのフレームレートを可変とすることを特徴とする、請求項１に記載の液晶表示装置。
【請求項１９】
前記ソース装置は、前記イメージの画面書き換えの速度が、既に設定された基準速度より速ければ、前記イメージフレームのフレームレートを増加させることを特徴とする、請求項１８に記載の液晶表示装置。
【請求項２０】
前記ソース装置は、前記イメージの画面書き換えの速度が、既に設定された基準速度より遅ければ、前記イメージフレームのフレームレートを減少させることを特徴とする、請求項１８に記載の液晶表示装置。
【請求項２１】
ソース装置からイメージフレームのフレームレートが可変とされるイメージデータを受信して表示動作を遂行するシンク装置であって、
前記シンク装置は、
前記イメージデータに相応するイメージを表示する表示パネルと、
前記表示パネルを駆動する表示パネル駆動回路とを含み、
前記表示パネル駆動回路は、前記イメージフレームのフレームレートが可変とされることにしたがって、前記表示動作のためのパネル駆動フレーム内における垂直ブランク区間の長さを調節することで前記パネル駆動フレームのフレームレートを可変とし、
前記表示パネル駆動回路は、前記パネル駆動フレームのフレームレートを変化させる際、前記表示パネルに印加される共通電圧を調節することを特徴とする、シンク装置。
【請求項２２】
前記表示パネル駆動回路は、前記パネル駆動フレームのフレームレートが、前記イメージフレームのフレームレートと同一の値を有するように可変とすることを特徴とする、請求項２１に記載のシンク装置。
【請求項２３】
前記表示パネル駆動回路は、前記共通電圧を線形的に調節することを特徴とする、請求項２１に記載のシンク装置。
【請求項２４】
前記表示パネル駆動回路は、前記共通電圧を非線形的に調節することを特徴とする、請求項２１に記載のシンク装置。
【請求項２５】
前記表示パネル駆動回路は、前記パネル駆動フレームの開始時点で、前記共通電圧について基準電圧レベルを有するようにリセットすることを特徴とする、請求項２１に記載のシンク装置。
【請求項２６】
前記表示パネル駆動回路は、前記パネル駆動フレームについての前記開始時点で、前記共通電圧を調節し始めることを特徴とする、請求項２５に記載のシンク装置。
【請求項２７】
前記表示パネル駆動回路は、前記パネル駆動フレームの前記開始時点から、既に設定された時間だけ経過した第１時点で、前記共通電圧を調節し始めることを特徴とする、請求項２５に記載のシンク装置。
【請求項２８】
前記表示パネル駆動回路は、前記パネル駆動フレームについての前記開始時点から前記第１時点までにわたって、前記共通電圧を前記基準電圧レベルに維持させることを特徴とする、請求項２７に記載のシンク装置。
【請求項２９】
前記第１時点は、前記パネル駆動フレーム内における前記垂直ブランク区間の開始時点であることを特徴とする、請求項２８に記載のシンク装置。
【請求項３０】
前記第１時点は、前記パネル駆動フレームについての前記開始時点から、前記パネル駆動フレームの最小許容時間だけ経過した時点であることを特徴とする、請求項２８に記載のシンク装置。
【発明の詳細な説明】
【技術分野】
【０００１】
本発明は表示装置に関し、より詳しくは、イメージフレームのフレームレート（frame rate）が可変とされることによって、パネル駆動フレームのフレームレートが可変とされる液晶表示装置に関する。
【背景技術】
【０００２】
一般に、液晶表示装置はソース（source）装置とシンク（sink）装置を含む。ここで、ソース装置（例えば、グラフィック処理装置（graphic processing unit；ＧＰＵ））はイメージデータをシンク装置に転送し、シンク装置はソース装置から転送されたイメージデータに基づいて表示動作を遂行する。最近、液晶表示装置は、前記表示動作が遂行される間に、前記表示動作により表示されるイメージの特性に応じて、イメージデータを構成するイメージフレームのフレームレート（または、イメージフレームの時間）をリアルタイムに変化させている。この際、前記表示動作のためのパネル駆動フレームのフレームレート（または、パネル駆動フレームの時間）を可変としない場合、イメージフレームのフレームレート（例えば、ＧＰＵレンダリング速度）と、パネル駆動フレームのフレームレートとが不一致となるので、シンク装置が表示するイメージにティアリング（tearing）（例えば、イメージが切れる）、スタッタリング（stuttering）（例えば、イメージが遅延される）などの問題が発生することがある。この問題に対処すべく、イメージフレームのフレームレートを可変することによって、パネル駆動フレーム内の垂直ブランク（vertical blank）区間を増減させてパネル駆動フレームのフレームレートを可変とする同期（sync）技術が提案された。しかしながら、各画素回路内のストレージキャパシタに格納された電圧（即ち、各画素回路内の液晶素子の両端に印加された電圧差）は時間が流れるにつれて漏洩され、前記漏洩によりパネル駆動フレームの平均輝度が減少するので、パネル駆動フレームのフレームレートが可変とされることによって、パネル駆動フレーム毎（ごと）に平均輝度が変わるようになり、それによって、ユーザは、パネル駆動フレームの平均輝度の偏差に起因したフリッカー（flicker）を認知しうる。
【先行技術文献】
【特許文献】
【０００３】
【特許文献１】特開2015-152923号公報（KR10-2015-0094881A）
【発明の概要】
【発明が解決しようとする課題】
【０００４】
本発明の一目的は、イメージフレームのフレームレート（または、イメージフレームの時間）が可変とされることによって、パネル駆動フレームのフレームレート（または、パネル駆動フレームの時間）を可変とするに当たって、パネル駆動フレームの平均輝度の偏差を減少（または、最小化）させることで、ユーザが認知可能なフリッカーが発生することを防止することができるシンク装置を提供することにある。
【０００５】
本発明の他の目的は、前記シンク装置を含む液晶表示装置を提供することにある。
【０００６】
但し、本発明の目的は前述した目的に限定されるものでなく、本発明の思想及び領域から逸脱しない範囲で多様に拡張できる。
【課題を解決するための手段】
【０００７】
本発明の一目的を達成するために、本発明の実施形態に係る液晶表示装置は、イメージデータを出力するソース装置及び前記イメージデータに基づいて表示動作を遂行するシンク装置を含むことができる。前記ソース装置は、前記表示動作が遂行される間に、前記イメージデータを構成するイメージフレームのフレームレートを可変とし、前記シンク装置は、前記イメージフレームの前記フレームレートが可変とされることにしたがって、前記表示動作のためのパネル駆動フレーム内の垂直ブランク区間を調節することで、前記パネル駆動フレームのフレームレートを可変とすることができる。前記シンク装置は、前記パネル駆動フレームの前記フレームレートを変化させる際、前記シンク装置に含まれた表示パネルに印加される共通電圧を調節することができる。
【０００８】
一実施形態によれば、前記パネル駆動フレームの前記フレームレートを変化させても、前記パネル駆動フレーム内のアクティブ区間の長さ（時間）は一定に維持できる。
【０００９】
一実施形態によれば、前記シンク装置は、前記パネル駆動フレームの前記フレームレートについて、前記イメージフレームの前記フレームレートと同一の値を有するように可変とすることができる。
【００１０】
一実施形態によれば、前記ソース装置が前記イメージフレームの前記フレームレートを増加させれば、前記シンク装置は前記パネル駆動フレーム内の前記垂直ブランク区間を減少させて前記パネル駆動フレームの前記フレームレートを増加させることができる。
【００１１】
一実施形態によれば、前記ソース装置が前記イメージフレームの前記フレームレートを減少させれば、前記シンク装置は前記パネル駆動フレーム内の前記垂直ブランク区間を増加させて前記パネル駆動フレームの前記フレームレートを減少させることができる。
【００１２】
一実施形態によれば、前記シンク装置は前記共通電圧を線形的に調節することができる。
【００１３】
一実施形態によれば、前記シンク装置は、前記表示パネルに印加される画素電圧が正（positive）の電圧レベルを有するとき、前記共通電圧を線形的に増加または減少させることができる。
【００１４】
一実施形態によれば、前記シンク装置は、前記表示パネルに印加される画素電圧が負（negative）の電圧レベルを有するとき、前記共通電圧を線形的に増加または減少させることができる。
【００１５】
一実施形態によれば、前記シンク装置は前記共通電圧を非線形的に調節することができる。
【００１６】
一実施形態によれば、前記シンク装置は、前記表示パネルに印加される画素電圧が正の電圧レベルを有する時、前記共通電圧を非線形的に増加または減少させることができる。
【００１７】
一実施形態によれば、前記シンク装置は、前記表示パネルに印加される画素電圧が負の電圧レベルを有する時、前記共通電圧を非線形的に増加または減少させることができる。
【００１８】
一実施形態によれば、前記シンク装置は、前記パネル駆動フレームの開始時点で、前記共通電圧について基準電圧レベルを有するようにリセットすることができる。
【００１９】
一実施形態によれば、前記シンク装置は、前記パネル駆動フレームの前記開始時点で前記共通電圧を調節し始めることができる。
【００２０】
一実施形態によれば、前記シンク装置は、前記パネル駆動フレームの前記開始時点から、既に（予め）設定された時間だけ経過した第１時点で、前記共通電圧を調節し始めることができる。
【００２１】
一実施形態によれば、前記シンク装置は、前記パネル駆動フレームの前記開始時点から前記第１時点までにわたって、前記共通電圧を前記基準電圧レベルに維持することができる。
【００２２】
一実施形態によれば、前記第１時点は、前記パネル駆動フレーム内における前記垂直ブランク区間の開始時点でありうる。
【００２３】
一実施形態によれば、前記第１時点は、前記パネル駆動フレームの前記開始時点から、前記パネル駆動フレームの最小許容時間だけ経過した時点でありうる。
【００２４】
一実施形態によれば、前記ソース装置は、前記表示動作により表示されるイメージの特性に応じて、前記イメージフレームのフレームレートを可変とすることができる。
【００２５】
一実施形態によれば、前記ソース装置は、前記イメージの画面書き換えが、既に（予め）設定された基準速度より速ければ、前記イメージフレームのフレームレートを増加させることができる。
【００２６】
一実施形態によれば、前記ソース装置は、前記イメージの画面書き換えが、既に（予め）設定された基準速度より遅ければ、前記イメージフレームのフレームレートを減少させることができる。
【００２７】
本発明の他の目的を達成するために、本発明の実施形態に係るシンク装置は、ソース装置から、イメージフレームのフレームレートが可変とされているイメージデータを受信して、表示動作を遂行することができる。前記シンク装置は、前記イメージデータに相応するイメージを表示する表示パネル、及び、前記表示パネルを駆動する表示パネル駆動回路を含むことができる。ここで、前記表示パネル駆動回路は、前記イメージフレームのフレームレートが可変とされることによって、前記表示動作のためのパネル駆動フレーム内の垂直ブランク区間を調節することで前記パネル駆動フレームのフレームレートを可変とし、前記表示パネル駆動回路は、前記パネル駆動フレームのフレームレートを変化させる際、前記表示パネルに印加される共通電圧を調節することができる。
【００２８】
一実施形態によれば、前記表示パネル駆動回路は、前記パネル駆動フレームのフレームレートについて、前記イメージフレームのフレームレートと同一の値を有するように可変とすることができる。
【００２９】
一実施形態によれば、前記表示パネル駆動回路は前記共通電圧を線形的に調節することができる。
【００３０】
一実施形態によれば、前記表示パネル駆動回路は前記共通電圧を非線形的に調節することができる。
【００３１】
一実施形態によれば、前記表示パネル駆動回路は、前記パネル駆動フレームの開始時点で、前記共通電圧について基準電圧レベルを有するようにリセットすることができる。
【００３２】
一実施形態によれば、前記表示パネル駆動回路は、前記パネル駆動フレームの前記開始時点で前記共通電圧を調節し始めることができる。
【００３３】
一実施形態によれば、前記表示パネル駆動回路は、前記パネル駆動フレームの前記開始時点から、既に設定された時間だけ経過した第１時点で、前記共通電圧を調節し始めることができる。
【００３４】
一実施形態によれば、前記表示パネル駆動回路は、前記パネル駆動フレームの前記開始時点から前記第１時点までにわたって、前記共通電圧を前記基準電圧レベルに維持することができる。
【００３５】
一実施形態によれば、前記第１時点は、前記パネル駆動フレーム内の前記垂直ブランク区間の開始時点でありうる。
【００３６】
一実施形態によれば、前記第１時点は、前記パネル駆動フレームの前記開始時点から前記パネル駆動フレームの最小許容時間だけ経過した時点でありうる。
【発明の効果】
【００３７】
本発明の実施形態に係るシンク装置及びこれを含む液晶表示装置は、イメージフレームのフレームレート（または、イメージフレームの時間）が可変されることによって、パネル駆動フレーム内の垂直ブランク区間を増減させてパネル駆動フレームのフレームレート（または、パネル駆動フレームの時間）を変化させるに当たって、各画素回路内の液晶素子の一端に印加される画素電圧が、時間の流れにつれて減少または増加しても、各画素回路内の液晶素子の他端に印加される共通電圧について、毎パネル駆動フレームの開始時点で、基準電圧レベルを有するようにリセットし、前記共通電圧を前記開始時点、または、前記開始時点から既に設定された時間だけ経過した所定の時点で、減少または増加させ始めることによって、パネル駆動フレームの平均輝度偏差を減少（または、最小化）させることで、ユーザが認知可能なフリッカーが発生することを防止することができる。但し、本発明の効果は前述した効果に限定されるものでなく、本発明の思想及び領域から逸脱しない範囲で多様に拡張できる。
【図面の簡単な説明】
【００３８】
【図１】本発明の実施形態に係る液晶表示装置を示すブロック図である。
【図２】図１の液晶表示装置に含まれた画素回路の一例を示す回路図である。
【図３】図１の液晶表示装置にて、イメージフレームのフレームレートが可変とされることによって、パネル駆動フレームのフレームレートが可変とされることを説明するための図である。
【図４】図１の液晶表示装置にて、シンク装置がパネル駆動フレーム内の垂直ブランク区間を調節することでパネル駆動フレームのフレームレートを可変とすることを説明するための図である。
【図５ａ】従来の液晶表示装置にて、画素電圧が正の電圧レベルを有する時、時間が流れるにつれて発生する画素電圧の漏洩を示す図である。
【図５ｂ】図１の液晶表示装置にて、画素電圧が正の電圧レベルを有する時、シンク装置が共通電圧を調節する一例を示す図である。
【図６ａ】従来の液晶表示装置にて、画素電圧が負の電圧レベルを有する時、時間が流れるにつれて発生する画素電圧の漏洩を示す図である。
【図６ｂ】図１の液晶表示装置にて、画素電圧が負の電圧レベルを有する時、シンク装置が共通電圧を調節する一例を示す図である。
【図７ａ】図１の液晶表示装置にて、シンク装置がパネル駆動フレームの開始時点で共通電圧を調節し始める例を示す図(1)である。
【図７ｂ】図１の液晶表示装置にて、シンク装置がパネル駆動フレームの開始時点で共通電圧を調節し始める例を示す図(2)である。
【図８ａ】図１の液晶表示装置にて、シンク装置がパネル駆動フレームの開始時点からパネル駆動フレームの最小許容時間だけ経過した時点で共通電圧を調節し始める例(1)を示す図である。
【図８ｂ】図１の液晶表示装置にて、シンク装置がパネル駆動フレームの開始時点からパネル駆動フレームの最小許容時間だけ経過した時点で共通電圧を調節し始める例(2)を示す図である。
【図９ａ】図１の液晶表示装置にて、シンク装置がパネル駆動フレーム内の垂直ブランク区間の開始時点で共通電圧を調節し始める例を示す図(1)である。
【図９ｂ】図１の液晶表示装置にて、シンク装置がパネル駆動フレーム内の垂直ブランク区間の開始時点で共通電圧を調節し始める例を示す図(2)である。
【図１０】本発明の実施形態に係る電子機器を示すブロック図である。
【図１１】図１０の電子機器がスマートフォンとして具現された一例を示す図である。
【図１２】図１０の電子機器がヘッドマウントディスプレイとして具現された一例を示す図である。
【発明を実施するための形態】
【００３９】
以下、添付した図面を参照して、本発明の実施形態をより詳細に説明する。図面上の同一の構成要素に対しては同一の参照符号を使用し、同一の構成要素に対する重複した説明は省略する。
【００４０】
図１は本発明の実施形態に係る液晶表示装置を示すブロック図であり、図２は図１の液晶表示装置に含まれた画素回路の一例を示す回路図であり、図３は、１の液晶表示装置におけるイメージフレームのフレームレートが可変とされることによって、パネル駆動フレームのフレームレートが可変とされることを説明するための図であり、図４は、図１の液晶表示装置におけるシンク装置がパネル駆動フレーム内の垂直ブランク区間を調節することでパネル駆動フレームのフレームレートを可変とすることを説明するための図である。
【００４１】
図１から図４を参照すると、液晶表示装置１００は、ソース装置１２０とシンク装置１４０を含むことができる。ここで、ソース装置１２０とシンク装置１４０は、所定のインターフェースを介して、データ通信を遂行することができる。例えば、ソース装置１２０は、エンベデッドディスプレイポート（embedded display port；ｅＤＰ）インターフェースを介して、シンク装置１４０にイメージデータ（ＩＭＧ−ＤＡＴ）を転送することができるが、ソース装置１２０とシンク装置１４０との間のインターフェースがそれに限定されるものではない。
【００４２】
ソース装置１２０は、イメージデータ（ＩＭＧ−ＤＡＴ）をシンク装置１４０に出力することができる。このために、ソース装置１２０はグラフィック処理ユニット１２２を含むことができる。グラフィック処理ユニット１２２は、イメージデータ（ＩＭＧ−ＤＡＴ）に、所定のプロセシングを遂行することができる。ソース装置１２０は、表示動作が遂行される間に、イメージデータ（ＩＭＧ−ＤＡＴ）を構成するイメージフレーム（ＩＦ（１）、ＩＦ（２）、ＩＦ（３）、．．．）のフレームレート（例えば、グラフィック処理ユニット１２２のレンダリング速度）を変化させることができる。一実施形態で、ソース装置１２０は表示動作により表示されるイメージの特性に応じて、イメージフレーム（ＩＦ（１）、ＩＦ（２）、ＩＦ（３）、．．．）のフレームレートを変化させることができる。例えば、ソース装置１２０は、イメージの画面書き換えの速度（screen refresh rate）が、既に設定された基準速度より速ければ（例えば、画面書き換えが速い動映像など）、イメージフレーム（ＩＦ（１）、ＩＦ（２）、ＩＦ（３）、．．．）のフレームレートを増加させ、イメージの画面書き換えの速度が、既に設定された基準速度より遅ければ（例えば、画面書き換えが遅い動映像、停止映像など）、イメージフレーム（ＩＦ（１）、ＩＦ（２）、ＩＦ（３）、．．．）のフレームレートを減少させることができる。この際、表示動作のためのパネル駆動フレーム（ＰＤＦ（１）、ＰＤＦ（２）、ＰＤＦ（３）、．．．）のフレームレートが変化させられない場合、イメージフレーム（ＩＦ（１）、ＩＦ（２）、ＩＦ（３）、．．．）のフレームレートと、パネル駆動フレーム（ＰＤＦ（１）、ＰＤＦ（２）、ＰＤＦ（３）、．．．）のフレームレートとが不一致となるようになり、それによって、イメージにティアリング（例えば、イメージが切れる）、スタッタリング（例えば、イメージが遅延される）などの問題が発生することがある。この問題に対処すべく、シンク装置１４０は、イメージフレーム（ＩＦ（１）、ＩＦ（２）、ＩＦ（３）、．．．）のフレームレートが可変とされることによって、パネル駆動フレーム（ＰＤＦ（１）、ＰＤＦ（２）、ＰＤＦ（３）、．．．）のフレームレートを可変とすることができる。言い換えると、図３に図示したように、液晶表示装置１００は、イメージフレーム（ＩＦ（１）、ＩＦ（２）、ＩＦ（３）、．．．）のフレームレートを変化させることによって、パネル駆動フレーム（ＰＤＦ（１）、ＰＤＦ（２）、ＰＤＦ（３）、．．．）のフレームレートを変化させ、パネル駆動フレーム（ＰＤＦ（１）、ＰＤＦ（２）、ＰＤＦ（３）、．．．）の駆動タイミングを、イメージフレーム（ＩＦ（１）、ＩＦ（２）、ＩＦ（３）、．．．）の転送タイミングに連係（即ち、ＡＳと表示）させることができる。一方、イメージフレーム（ＩＦ（１）、ＩＦ（２）、ＩＦ（３）、．．．）のフレームレート（例えば、ヘルツ（Ｈｚ））と、イメージフレーム（ＩＦ（１）、ＩＦ（２）、ＩＦ（３）、．．．）の時間（例えば、秒（second））とは、互いに反比例するので、イメージフレーム（ＩＦ（１）、ＩＦ（２）、ＩＦ（３）、．．．）のフレームレートの増加と減少は、それぞれ��各イメージフレーム（ＩＦ（１）、ＩＦ（２）、ＩＦ（３）、．．．）の時間の減少と増加を意味する。同様に、パネル駆動フレーム（ＰＤＦ（１）、ＰＤＦ（２）、ＰＤＦ（３）、．．．）のフレームレートと、パネル駆動フレーム（ＰＤＦ（１）、ＰＤＦ（２）、ＰＤＦ（３）、．．．）の時間とは、互いに反比例するので、パネル駆動フレーム（ＰＤＦ（１）、ＰＤＦ（２）、ＰＤＦ（３）、．．．）のフレームレートの増加と減少は、それぞれ、各パネル駆動フレーム（ＰＤＦ（１）、ＰＤＦ（２）、ＰＤＦ（３）、．．．）の時間の減少と増加を意味する。
【００４３】
シンク装置１４０は、ソース装置１２０から出力されるイメージデータ（ＩＭＧ−ＤＡＴ）に基づいて表示動作を遂行することができる。このために、シンク装置１４０は、表示パネル駆動回路１４２及び表示パネル１４４を含むことができる。表示パネル駆動回路１４２は、ソース装置１２０から出力されるイメージデータ（ＩＭＧ−ＤＡＴ）を受信し、イメージデータ（ＩＭＧ−ＤＡＴ）に基づいて、表示パネル１４４上にイメージを表示することができる。表示パネル駆動回路１４２は、表示パネル１４４にスキャン信号を提供するスキャンドライバ、表示パネル１４４にデータ信号を提供するデータドライバ、スキャンドライバとデータドライバを制御するタイミングコントローラーなどを含むことができる。表示パネル１４４は、複数の画素回路１４６を含み、画素回路１４６の各々は液晶素子（ＬＣ）を含むことができる。例えば、図２に図示したように、シンク装置１４０内の表示パネル１４４に含まれた画素回路１４６は、スイッチングトランジスタＴＲ、ストレージキャパシタ（ＣＳＴ）、及び液晶素子（ＬＣ）を含むことができる。但し、図２の画素回路１４６の構造は例示的なものであって、画素回路１４６の構造がそれに限定されるものではない。スイッチングトランジスタＴＲは、データラインＤＳＬとノードＮＤとの間に連結され、ゲート端子がスキャンラインＳＳＬに連結されうる。ストレージキャパシタ（ＣＳＴ）は、ノードＮＤと共通電圧（ＶＣＯＭ）（即ち、共通電圧ライン）との間に連結されうる。液晶素子（ＬＣ）は、ノードＮＤと共通電圧（ＶＣＯＭ）との間に連結されうる。スイッチングトランジスタＴＲが、スキャンラインＳＳＬを通じて印加されたスキャン信号に応答してターンオンされれば、データラインＤＳＬを通じて印加されたデータ信号（即ち、イメージデータ（ＩＭＧ−ＤＡＴ）に相応するデータ電圧）がストレージキャパシタ（ＣＳＴ）に格納され、それによって、ストレージキャパシタ（ＣＳＴ）の両端に画素電圧（ＶＰＩＸ）と共通電圧（ＶＣＯＭ）がかかるようになる。液晶素子（ＬＣ）はストレージキャパシタ（ＣＳＴ）に並列に連結され、それによって、液晶素子（ＬＣ）の両端に画素電圧（ＶＰＩＸ）と共通電圧（ＶＣＯＭ）が印加される。即ち、液晶素子（ＬＣ）は、ストレージキャパシタ（ＣＳＴ）に格納された電圧（即ち、液晶素子（ＬＣ）の両端に印加された画素電圧（ＶＰＩＸ）と共通電圧（ＶＣＯＭ）との差）に基づいて動作する。この際、ストレージキャパシタ（ＣＳＴ）に格納された電圧が、時間の流れにつれて漏洩され（即ち、共通電圧（ＶＣＯＭ）は続けて印加されるので、画素電圧（ＶＰＩＸ）が減少する効果が表れる）、前記漏洩によりパネル駆動フレーム（ＰＤＦ（１）、ＰＤＦ（２）、ＰＤＦ（３）、．．．）の平均輝度は減少しうる。
【００４４】
一方、パネル駆動フレーム（ＰＤＦ（１）、ＰＤＦ（２）、ＰＤＦ（３）、．．．）は、アクティブ区間（ＡＣＴＩＶＥ）と垂直ブランク区間（ＶＢ）を含むことができる。即ち、各画素回路１４６は、アクティブ区間（ＡＣＴＩＶＥ）の間中にスキャン動作を遂行し、アクティブ区間（ＡＣＴＩＶＥ）と垂直ブランク区間（ＶＢ）の間中に、バックライトから放出された光に基づいて発光動作を遂行することができる。前述したように、液晶表示装置１００では、イメージフレーム（ＩＦ（１）、ＩＦ（２）、ＩＦ（３）、．．．）のフレームレートが可変とされることによって、パネル駆動フレーム（ＰＤＦ（１）、ＰＤＦ（２）、ＰＤＦ（３）、．．．）のフレームレートが可変とされうる。具体的に、図３及び図４に図示したように、ソース装置１２０がイメージフレーム（ＩＦ（１）、ＩＦ（２）、ＩＦ（３）、．．．）のフレームレートを変化させることによって、シンク装置１４０が、パネル駆動フレーム（ＰＤＦ（１）、ＰＤＦ（２）、ＰＤＦ（３）、．．．）内における垂直ブランク区間（ＶＢ）の長さ（時間）を調節することで、パネル駆動フレーム（ＰＤＦ（１）、ＰＤＦ（２）、ＰＤＦ（３）、．．．）のフレームレートを変化させることができる。一実施形態で、シンク装置１４０は、パネル駆動フレーム（ＰＤＦ（１）、ＰＤＦ（２）、ＰＤＦ（３）、．．．）のフレームレートについて、イメージフレーム（ＩＦ（１）、ＩＦ（２）、ＩＦ（３）、．．．）のフレームレートと同一の値を有するように変化(増減)させすることができる。例えば、ソース装置１２０がイメージフレーム（ＩＦ（１）、ＩＦ（２）、ＩＦ（３）、．．．）のフレームレートを増加（即ち、イメージフレーム（ＩＦ（１）、ＩＦ（２）、ＩＦ（３）、．．．）の時間を減少）させれば、シンク装置１４０はパネル駆動フレーム（ＰＤＦ（１）、ＰＤＦ（２）、ＰＤＦ（３）、．．．）内の垂直ブランク区間（ＶＢ）を減少させてパネル駆動フレーム（ＰＤＦ（１）、ＰＤＦ（２）、ＰＤＦ（３）、．．．）のフレームレートを増加（即ち、パネル駆動フレーム（ＰＤＦ（１）、ＰＤＦ（２）、ＰＤＦ（３）、．．．）の時間を減少）させることができる。一方、ソース装置１２０がイメージフレーム（ＩＦ（１）、ＩＦ（２）、ＩＦ（３）、．．．）のフレームレートを減少（即ち、イメージフレーム（ＩＦ（１）、ＩＦ（２）、ＩＦ（３）、．．．）の時間を増加）させれば、シンク装置１４０は、パネル駆動フレーム（ＰＤＦ（１）、ＰＤＦ（２）、ＰＤＦ（３）、．．．）内における垂直ブランク区間（ＶＢ）の長さ（時間）を増加させることで、パネル駆動フレーム（ＰＤＦ（１）、ＰＤＦ（２）、ＰＤＦ（３）、．．．）のフレームレートを減少（即ち、パネル駆動フレーム（ＰＤＦ（１）、ＰＤＦ（２）、ＰＤＦ（３）、．．．）の時間を増加）させることができる。
【００４５】
図３及び図４に図示したように、シンク装置１４０は、パネル駆動フレーム（ＰＤＦ（１）、ＰＤＦ（２）、ＰＤＦ（３）、．．．）のフレームレートを可変としても、パネル駆動フレーム（ＰＤＦ（１）、ＰＤＦ（２）、ＰＤＦ（３）、．．．）内のアクティブ区間（ＡＣＴＩＶＥ）の長さ（時間）については一定に維持することができる。言い換えると、シンク装置１４０は、パネル駆動フレーム（ＰＤＦ（１）、ＰＤＦ（２）、ＰＤＦ（３）、．．．）のフレームレートを可変とするに当たって、パネル駆動フレーム（ＰＤＦ（１）、ＰＤＦ（２）、ＰＤＦ（３）、．．．）内における垂直ブランク区間（ＶＢ）の長さ（時間）のみを可変とするものである。例えば、第１パネル駆動フレーム（ＰＤＦ（１））は、固定された長さ（ＦＬ）を有するアクティブ区間（ＡＣＴＩＶＥ）と、第１長さ（Ｌ１）を有する垂直ブランク区間（ＶＢ）を含むことができ、第２パネル駆動フレーム（ＰＤＦ（２））は固定された長さ（ＦＬ）を有するアクティブ区間（ＡＣＴＩＶＥ）と第２長さ（Ｌ２）を有する垂直ブランク区間（ＶＢ）を含むことができ、第３パネル駆動フレーム（ＰＤＦ（３））は固定された長さ（ＦＬ）を有するアクティブ区間（ＡＣＴＩＶＥ）と第３長さ（Ｌ３）を有する垂直ブランク区間（ＶＢ）を含むことができ、第４パネル駆動フレーム（ＰＤＦ（４））は固定された長さ（ＦＬ）を有するアクティブ区間（ＡＣＴＩＶＥ）と第４長さ（Ｌ４）を有する垂直ブランク区間（ＶＢ）を含むことができる。このように、イメージフレーム（ＩＦ（１）、ＩＦ（２）、ＩＦ（３）、．．．）のフレームレートが可変とされることによって、パネル駆動フレーム（ＰＤＦ（１）、ＰＤＦ（２）、ＰＤＦ（３）、．．．）のフレームレートが可変とされ、パネル駆動フレーム（ＰＤＦ（１）、ＰＤＦ（２）、ＰＤＦ（３）、．．．）のフレームレートが可変（即ち、パネル駆動フレーム（ＰＤＦ（１）、ＰＤＦ（２）、ＰＤＦ（３）、．．．）の時間が可変）とされることによって、各画素回路１４６内のストレージキャパシタ（ＣＳＴ）に格納された電圧の漏洩量（即ち、画素電圧（ＶＰＩＸ）の変化量）が変わりうるので、パネル駆動フレーム（ＰＤＦ（１）、ＰＤＦ（２）、ＰＤＦ（３）、．．．）毎に平均輝度が変わりうるようになり、それによって、ユーザはパネル駆動フレーム（ＰＤＦ（１）、ＰＤＦ（２）、ＰＤＦ（３）、．．．）の平均輝度偏差に起因したフリッカーを認知しうる。この問題に対処すべく、液晶表示装置１００は、シンク装置１４０が、パネル駆動フレーム（ＰＤＦ（１）、ＰＤＦ（２）、ＰＤＦ（３）、．．．）のフレームレートを変化させる際に、シンク装置１４０に含まれた表示パネル１４４（即ち、各画素回路１４６）に印加される共通電圧（ＶＣＯＭ）を調節するようにすることによって、前述したフリッカーを防止することができる。
【００４６】
具体的に、シンク装置１４０は、表示パネル１４４に印加（具体的に、各画素回路１４６内の液晶素子（ＬＣ）の一端に印加）される画素電圧（ＶＰＩＸ）が正の電圧レベルを有する時、表示パネル１４４に印加（具体的に、各画素回路１４６内の液晶素子（ＬＣ）の他端に印加）される共通電圧（ＶＣＯＭ）を増加または減少させることができる。この場合、時間が流れるにつれて各画素回路１４６内の液晶素子（ＬＣ）の一端に印加される画素電圧（ＶＰＩＸ）が減少（即ち、画素電圧（ＶＰＩＸ）の絶対値が小さくなる）するに伴い、各画素回路１４６内の液晶素子（ＬＣ）の他端に印加される共通電圧（ＶＣＯＭ）も共に減少させることができるので、パネル駆動フレーム（ＰＤＦ（１）、ＰＤＦ（２）、ＰＤＦ（３）、．．．）のフレームレートが可変とされても、パネル駆動フレーム（ＰＤＦ（１）、ＰＤＦ（２）、ＰＤＦ（３）、．．．）の間中、各画素回路１４６内の液晶素子（ＬＣ）の両端にかかる平均電圧差についての、パネル駆動フレーム（ＰＤＦ（１）、ＰＤＦ（２）、ＰＤＦ（３）、．．．）の間中における偏差が減少（または、最小化）されうる。この際、パネル駆動フレーム（ＰＤＦ（１）、ＰＤＦ（２）、ＰＤＦ（３）、．．．）の間中に、各画素回路１４６内の液晶素子（ＬＣ）の両端にかかる平均電圧差は、パネル駆動フレーム（ＰＤＦ（１）、ＰＤＦ（２）、ＰＤＦ（３）、．．．）中における平均輝度を決定するので、前記平均電圧差についての、パネル駆動フレーム（ＰＤＦ（１）、ＰＤＦ（２）、ＰＤＦ（３）、．．．）の間における偏差が減少（または、最小化）すれば、パネル駆動フレーム（ＰＤＦ（１）、ＰＤＦ（２）、ＰＤＦ（３）、．．．）の間中における平均輝度偏差が減少（または、最小化）し、それによって、パネル駆動フレーム（ＰＤＦ（１）、ＰＤＦ（２）、ＰＤＦ（３）、．．．）の平均輝度偏差に起因したフリッカーが防止されうる。一実施形態にて、シンク装置１４０は、前記共通電圧（ＶＣＯＭ）を線形的に減少させることができる。他の実施形態にて、シンク装置１４０は、前記共通電圧（ＶＣＯＭ）を非線形的に減少させることができる。一方、シンク装置１４０は、パネル駆動フレーム（ＰＤＦ（１）、ＰＤＦ（２）、ＰＤＦ（３）、．．．）ごとの開始時点で、前記共通電圧（ＶＣＯＭ）について、基準電圧レベルを有するようにリセットすることができる。実施形態によっては、シンク装置１４０は、パネル駆動フレーム（ＰＤＦ（１）、ＰＤＦ（２）、ＰＤＦ（３）、．．．）ごとの開始時点で、前記共通電圧（ＶＣＯＭ）を減少させ始めるか、またはパネル駆動フレーム（ＰＤＦ（１）、ＰＤＦ（２）、ＰＤＦ（３）、．．．）ごとの開始時点から、既に設定された時間だけ経過した第１時点にて、前記共通電圧（ＶＣＯＭ）を減少させ始めることができる。例えば、パネル駆動フレーム（ＰＤＦ（１）、ＰＤＦ（２）、ＰＤＦ（３）、．．．）内の垂直ブランク区間（ＶＢ）の開始時点にて、または、パネル駆動フレーム（ＰＤＦ（１）、ＰＤＦ（２）、ＰＤＦ（３）、．．．）の開始時点から、パネル駆動フレーム（ＰＤＦ（１）、ＰＤＦ（２）、ＰＤＦ（３）、．．．）の最小許容時間だけ経過した時点にて、前記共通電圧（ＶＣＯＭ）を減少させ始めることができる。但し、これに対しては図面を参照して詳細に後述する。
【００４７】
また、シンク装置１４０は、表示パネル１４４に印加（具体的に、各画素回路１４６内の液晶素子（ＬＣ）の一端に印加）される画素電圧（ＶＰＩＸ）が、負の電圧レベルを有する時、表示パネル１４４に印加（具体的に、各画素回路１４６内の液晶素子（ＬＣ）の他端に印加）される共通電圧（ＶＣＯＭ）を、増加または減少させることができる。この場合、時間が流れるにつれて、各画素回路１４６内の液晶素子（ＬＣ）の一端に印加される画素電圧（ＶＰＩＸ）が増加（即ち、画素電圧（ＶＰＩＸ）の絶対値が小さくなる）するに伴い、各画素回路１４６内の液晶素子（ＬＣ）の他端に印加される共通電圧（ＶＣＯＭ）も共に増加するので、パネル駆動フレーム（ＰＤＦ（１）、ＰＤＦ（２）、ＰＤＦ（３）、．．．）のフレームレートが変化しても、パネル駆動フレーム（ＰＤＦ（１）、ＰＤＦ（２）、ＰＤＦ（３）、．．．）の間中に、各画素回路１４６内の液晶素子（ＬＣ）の両端にかかる平均電圧差についての、パネル駆動フレーム（ＰＤＦ（１）、ＰＤＦ（２）、ＰＤＦ（３）、．．．）の間中における偏差が減少（または、最小化）されうる。この際、パネル駆動フレーム（ＰＤＦ（１）、ＰＤＦ（２）、ＰＤＦ（３）、．．．）の間中に、各画素回路１４６内の液晶素子（ＬＣ）の両端にかかる平均電圧差は、パネル駆動フレーム（ＰＤＦ（１）、ＰＤＦ（２）、ＰＤＦ（３）、．．．）中における平均輝度を決定するので、前記平均電圧差についての、パネル駆動フレーム（ＰＤＦ（１）、ＰＤＦ（２）、ＰＤＦ（３）、．．．）の間中における偏差が減少（または、最小化）すれば、パネル駆動フレーム（ＰＤＦ（１）、ＰＤＦ（２）、ＰＤＦ（３）、．．．）の間中における平均輝度の偏差が減少（または、最小化）し、それによって、パネル駆動フレーム（ＰＤＦ（１）、ＰＤＦ（２）、ＰＤＦ（３）、．．．）中の平均輝度の偏差に起因したフリッカーが防止されうる。一実施形態にて、シンク装置１４０は、前記共通電圧（ＶＣＯＭ）を線形的に増加させることができる。他の実施形態にて、シンク装置１４０は、前記共通電圧（ＶＣＯＭ）を非線形的に増加させることができる。一方、シンク装置１４０は、パネル駆動フレーム（ＰＤＦ（１）、ＰＤＦ（２）、ＰＤＦ（３）、．．．）ごとの開始時点で、前記共通電圧（ＶＣＯＭ）について、基準電圧レベルを有するようにリセットすることができる。実施形態によっては、シンク装置１４０は、パネル駆動フレーム（ＰＤＦ（１）、ＰＤＦ（２）、ＰＤＦ（３）、．．．）ごとの開始時点で前記共通電圧（ＶＣＯＭ）を増加させ始めるか、またはパネル駆動フレーム（ＰＤＦ（１）、ＰＤＦ（２）、ＰＤＦ（３）、．．．）ごとの開始時点から既に設定された時間だけ経過した第１時点にて、前記共通電圧（ＶＣＯＭ）を減少させ始めることができる。例えば、パネル駆動フレーム（ＰＤＦ（１）、ＰＤＦ（２）、ＰＤＦ（３）、．．．）内の垂直ブランク区間（ＶＢ）の開始時点にて、または、パネル駆動フレーム（ＰＤＦ（１）、ＰＤＦ（２）、ＰＤＦ（３）、．．．）の開始時点から、パネル駆動フレーム（ＰＤＦ（１）、ＰＤＦ（２）、ＰＤＦ（３）、．．．）の最小許容時間だけ経過した時点にて、前記共通電圧（ＶＣＯＭ）を増加させ始めることができる。但し、これに対しては図面を参照して詳細に後述する。
【００４８】
このように、液晶表示装置１００は、イメージフレーム（ＩＦ（１）、ＩＦ（２）、ＩＦ（３）、．．．）のフレームレート（または、イメージフレーム（ＩＦ（１）、ＩＦ（２）、ＩＦ（３）、．．．）の時間）を可変とすることによって、パネル駆動フレーム（ＰＤＦ（１）、ＰＤＦ（２）、ＰＤＦ（３）、．．．）内における垂直ブランク区間（ＶＢ）の長さ（時間）を増減することで、パネル駆動フレーム（ＰＤＦ（１）、ＰＤＦ（２）、ＰＤＦ（３）、．．．）のフレームレート（または、パネル駆動フレーム（ＰＤＦ（１）、ＰＤＦ（２）、ＰＤＦ（３）、．．．）の時間）を可変とするに当たって、各画素回路１４６内の液晶素子（ＬＣ）の一端に印加される画素電圧（ＶＰＩＸ）が時間の流れにつれて減少または増加しても、各画素回路１４６内の液晶素子（ＬＣ）の他端に印加される共通電圧（ＶＣＯＭ）について、パネル駆動フレーム（ＰＤＦ（１）、ＰＤＦ（２）、ＰＤＦ（３）、．．．）ごとの開始時点で、基準電圧レベルを有するようにリセットし、前記共通電圧（ＶＣＯＭ）について、パネル駆動フレーム（ＰＤＦ（１）、ＰＤＦ（２）、ＰＤＦ（３）、．．．）ごとの開始時点にて、または、パネル駆動フレーム（ＰＤＦ（１）、ＰＤＦ（２）、ＰＤＦ（３）、．．．）ごとの開始時点から、既に設定された時間だけ経過した所定の時点にて、減少または増加させ始めることによって、パネル駆動フレーム（ＰＤＦ（１）、ＰＤＦ（２）、ＰＤＦ（３）、．．．）における平均輝度の偏差を減少（または、最小化）させることで、ユーザが認知可能なフリッカーが発生することを防止することができる。その結果、液晶表示装置１００は、ユーザに高品質のイメージを提供することができる。一方、説明の便宜のために、図１では、ソース装置１２０がグラフィック処理ユニット１２２のみを含み、シンク装置１４０が表示パネル駆動回路１４２及び表示パネル１４４を含むものとして図示されているが、ソース装置１２０が他の構成要素（例えば、プロセッサ、フレームバッファメモリ、送信回路など）をさらに含むことができ、シンク装置１４０も、他の構成要素（例えば、プロセッサ、フレームバッファメモリ、受信回路など）をさらに含むことができる。
【００４９】
図５ａは、従来の液晶表示装置にて、画素電圧が正の電圧レベルを有する時に、時間が流れるにつれて発生する画素電圧の漏洩を示す図であり、図５ｂは、図１の液晶表示装置にて、画素電圧が正の電圧レベルを有する時に、シンク装置が共通電圧を調節する一例を示す図である。
【００５０】
図５ａ及び図５ｂを参照すると、表示パネル１４４に印加（具体的に、各画素回路１４６内の液晶素子（ＬＣ）の一端に印加）される画素電圧（ＶＰＩＸ）が正の電圧レベルを有する場合、前記画素電圧（ＶＰＩＸ）は時間が流れるにつれて減少（即ち、画素電圧（ＶＰＩＸ）の絶対値が小さくなる）しうる。この際、図５ａに図示したように、従来の液晶表示装置では、正の電圧レベルの画素電圧（ＶＰＩＸ）が、時間が流れるにつれて減少（即ち、画素電圧（ＶＰＩＸ）の絶対値が小さくなる）しても、表示パネル１４４に印加（具体的に、各画素回路１４６内の液晶素子（ＬＣ）の他端に印加）される共通電圧（ＶＣＯＭ）が固定されているので、パネル駆動フレーム（ＰＤＦ（１）、ＰＤＦ（２））のフレームレート（即ち、パネル駆動フレーム（ＰＤＦ（１）、ＰＤＦ（２））の時間）の変動によって、各画素回路１４６内の液晶素子（ＬＣ）の両端にかかる平均電圧差（ＡＶ１、ＡＶ２）に偏差が発生するようになる。例えば、第１パネル駆動フレーム（ＰＤＦ（１））は第２パネル駆動フレーム（ＰＤＦ（２））よりフレームレートが大きい（即ち、時間が短い）ので、第１パネル駆動フレーム（ＰＤＦ（１））では第２パネル駆動フレーム（ＰＤＦ（２））より画素電圧（ＶＰＩＸ）の漏洩が小さくなり、それによって、第１パネル駆動フレーム（ＰＤＦ（１））における平均電圧差（ＡＶ１）は第２パネル駆動フレーム（ＰＤＦ（２））における平均電圧差（ＡＶ２）より大きいのでありうる。ここで、第１パネル駆動フレーム（ＰＤＦ（１））の平均電圧差（ＡＶ１）と、第２パネル駆動フレーム（ＰＤＦ（２））の平均電圧差（ＡＶ２）は、それぞれ、第１パネル駆動フレーム（ＰＤＦ（１））の平均輝度と、第２パネル駆動フレーム（ＰＤＦ（２））の平均輝度を決定するので、第１パネル駆動フレーム（ＰＤＦ（１））の平均電圧差（ＡＶ１）と、第２パネル駆動フレーム（ＰＤＦ（２））の平均電圧差（ＡＶ２）との間の偏差は、第１パネル駆動フレーム（ＰＤＦ（１））の平均輝度と、第２パネル駆動フレーム（ＰＤＦ（２））の平均輝度との間の偏差として表れるのであり、それによって、ユーザは、第１パネル駆動フレーム（ＰＤＦ（１））の平均輝度と、第２パネル駆動フレーム（ＰＤＦ（２））の平均輝度との間の偏差に起因したフリッカーを認知しうる。即ち、従来の液晶表示装置は、パネル駆動フレーム（ＰＤＦ（１）、ＰＤＦ（２））のフレームレートを変化させた際に発生する、パネル駆動フレーム（ＰＤＦ（１）、ＰＤＦ（２））の平均輝度の偏差に起因したフリッカーを防止することができない。
【００５１】
一方、図５ｂに図示したように、図１の液晶表示装置１００であると、シンク装置１４０は、正の電圧レベルの画素電圧（ＶＰＩＸ）が、時間が流れるにつれて減少（即ち、画素電圧（ＶＰＩＸ）の絶対値が小さくなる）するに伴い、表示パネル１４４に印加（具体的に、各画素回路１４６内の液晶素子（ＬＣ）の他端に印加）される共通電圧（ＶＣＯＭ）を減少させるので、パネル駆動フレーム（ＰＤＦ（１）、ＰＤＦ（２））のフレームレートが可変とされても、パネル駆動フレーム（ＰＤＦ（１）、ＰＤＦ（２））の間中に各画素回路１４６内の液晶素子（ＬＣ）の両端にかかる平均電圧差（ＣＡＶ１、ＣＡＶ２）についての、パネル駆動フレーム（ＰＤＦ（１）、ＰＤＦ（２））同士の間の偏差が減少（または、最小化）されうる。例えば、第２パネル駆動フレーム（ＰＤＦ（２））は第１パネル駆動フレーム（ＰＤＦ（１））よりフレームレートが小さい（即ち、時間が長い）ので、第２パネル駆動フレーム（ＰＤＦ（２））では第１パネル駆動フレーム（ＰＤＦ（１））より画素電圧（ＶＰＩＸ）の漏洩が多い。しかしながら、シンク装置１４０は、前記画素電圧（ＶＰＩＸ）が減少するに伴い、前記共通電圧（ＶＣＯＭ）も共に減少させるので、第１パネル駆動フレーム（ＰＤＦ（１））の平均電圧差（ＣＡＶ１）と、第２パネル駆動フレーム（ＰＤＦ（２））の平均電圧差（ＣＡＶ２）との間の偏差は、減少（または、最小化）しうる。この際、第１パネル駆動フレーム（ＰＤＦ（１））の平均電圧差（ＣＡＶ１）と、第２パネル駆動フレーム（ＰＤＦ（２））の平均電圧差（ＣＡＶ２）は、それぞれ、第１パネル駆動フレーム（ＰＤＦ（１））の平均輝度と、第２パネル駆動フレーム（ＰＤＦ（２））の平均輝度を決定するので、第１パネル駆動フレーム（ＰＤＦ（１））の平均輝度と、第２パネル駆動フレーム（ＰＤＦ（２））の平均輝度との間の偏差も減少（または、最小化）するのであり、それによって、ユーザは、第１パネル駆動フレーム（ＰＤＦ（１））の平均輝度と、第２パネル駆動フレーム（ＰＤＦ（２））の平均輝度との間の偏差に起因したフリッカーを認知しえない。即ち、図１の液晶表示装置１００はパネル駆動フレーム（ＰＤＦ（１）、ＰＤＦ（２））のフレームレートが可変とされても、パネル駆動フレーム（ＰＤＦ（１）、ＰＤＦ（２））の平均輝度の偏差に起因したフリッカーを防止することができる。
【００５２】
一実施形態で、図５ｂに図示したように、シンク装置１４０は、表示パネル１４４に印加（具体的に、各画素回路１４６内の液晶素子（ＬＣ）の他端に印加）される共通電圧（ＶＣＯＭ）を線形的に減少させることができる。他の実施形態で、シンク装置１４０は、表示パネル１４４に印加（具体的に、各画素回路１４６内の液晶素子（ＬＣ）の他端に印加）される共通電圧（ＶＣＯＭ）を非線形的に減少させることができる。一方、シンク装置１４０は、パネル駆動フレーム（ＰＤＦ（１）、ＰＤＦ（２））ごとの開始時点で、表示パネル１４４に印加（具体的に、各画素回路１４６内の液晶素子（ＬＣ）の他端に印加）される共通電圧（ＶＣＯＭ）について、基準電圧レベル（ＲＶＬ）を有するようにリセットすることができる。一実施形態で、図５ｂに図示したように、シンク装置１４０は、パネル駆動フレーム（ＰＤＦ（１）、ＰＤＦ（２））ごとの開始時点で前記共通電圧（ＶＣＯＭ）を減少させ始めることができる。他の実施形態で、シンク装置１４０は、毎パネル駆動フレーム（ＰＤＦ（１）、ＰＤＦ（２））の開始時点から、既に設定された時間だけ経過した第１時点にて、前記共通電圧（ＶＣＯＭ）を減少させ始めることができる。例えば、パネル駆動フレーム（ＰＤＦ（１）、ＰＤＦ（２））内の垂直ブランク区間（ＶＢ）の開始時点にて、または、パネル駆動フレーム（ＰＤＦ（１）、ＰＤＦ（２））の開始時点からパネル駆動フレーム（ＰＤＦ（１）、ＰＤＦ（２））の最小許容時間だけ経過した時点）にて、前記共通電圧（ＶＣＯＭ）を減少させ始めることができる。このように、液晶表示装置１００は、各画素回路１４６内の液晶素子（ＬＣ）の一端に印加される正の電圧レベルの画素電圧（ＶＰＩＸ）が、時間の流れにつれて減少しても、シンク装置１４０が、各画素回路１４６内の液晶素子（ＬＣ）の他端に印加される共通電圧（ＶＣＯＭ）について、パネル駆動フレーム（ＰＤＦ（１）、ＰＤＦ（２））ごとの開始時点で基準電圧レベル（ＲＶＬ）を有するようにリセットした後、前記共通電圧（ＶＣＯＭ）を適宜に減少させていくようにすることによって、パネル駆動フレーム（ＰＤＦ（１）、ＰＤＦ（２））の平均輝度の偏差を減少（または、最小化）させて、ユーザが認知可能なフリッカーが発生することを防止することができる。その結果、液晶表示装置１００はユーザに高品質のイメージを提供することができる。
【００５３】
図６ａは、従来の液晶表示装置にて、画素電圧が負の電圧レベルを有する時に、時間が流れるにつれて発生する画素電圧の漏洩を示す図であり、図６ｂは、図１の液晶表示装置にて、画素電圧が負の電圧レベルを有する時に、シンク装置が共通電圧を調節する一例を示す図である。
【００５４】
図６ａ及び図６ｂを参照すると、表示パネル１４４に印加（具体的に、各画素回路１４６内の液晶素子（ＬＣ）の一端に印加）される画素電圧（ＶＰＩＸ）が負の電圧レベルを有する場合、前記画素電圧（ＶＰＩＸ）は時間が流れるにつれて増加（即ち、画素電圧（ＶＰＩＸ）の絶対値が小さくなる）しうる。この際、図６ａに図示したように、従来の液晶表示装置では、負の電圧レベルの画素電圧（ＶＰＩＸ）が時間の流れにつれて増加（即ち、画素電圧（ＶＰＩＸ）の絶対値が小さくなる）しても、表示パネル１４４に印加（具体的に、各画素回路１４６内の液晶素子（ＬＣ）の他端に印加）される共通電圧（ＶＣＯＭ）が固定されているので、パネル駆動フレーム（ＰＤＦ（１）、ＰＤＦ（２））のフレームレート（即ち、パネル駆動フレーム（ＰＤＦ（１）、ＰＤＦ（２））の時間）の変動によって、各画素回路１４６内の液晶素子（ＬＣ）の両端にかかる平均電圧差（ＡＶ１、ＡＶ２）に偏差が発生するようになる。例えば、第１パネル駆動フレーム（ＰＤＦ（１））は第２パネル駆動フレーム（ＰＤＦ（２））よりフレームレートが大きい（即ち、時間が短い）ので、第１パネル駆動フレーム（ＰＤＦ（１））では第２パネル駆動フレーム（ＰＤＦ（２））より画素電圧（ＶＰＩＸ）の漏洩が小さくなり、それによって、第１パネル駆動フレーム（ＰＤＦ（１））における平均電圧差（ＡＶ１）は第２パネル駆動フレーム（ＰＤＦ（２））における平均電圧差（ＡＶ２）より大きいのでありうる。ここで、第１パネル駆動フレーム（ＰＤＦ（１））の平均電圧差（ＡＶ１）と第２パネル駆動フレーム（ＰＤＦ（２））の平均電圧差（ＡＶ２）は、それぞれ、第１パネル駆動フレーム（ＰＤＦ（１））の平均輝度と第２パネル駆動フレーム（ＰＤＦ（２））の平均輝度を決定するので、第１パネル駆動フレーム（ＰＤＦ（１））の平均電圧差（ＡＶ１）と、第２パネル駆動フレーム（ＰＤＦ（２））の平均電圧差（ＡＶ２）との間の偏差は、第１パネル駆動フレーム（ＰＤＦ（１））の平均輝度と、第２パネル駆動フレーム（ＰＤＦ（２））の平均輝度との間の偏差として表れるのであり、それによって、ユーザは、第１パネル駆動フレーム（ＰＤＦ（１））の平均輝度と、第２パネル駆動フレーム（ＰＤＦ（２））の平均輝度との間の偏差に起因したフリッカーを認知しうる。即ち、従来の液晶表示装置は、パネル駆動フレーム（ＰＤＦ（１）、ＰＤＦ（２））のフレームレートを変化させた際に発生する、パネル駆動フレーム（ＰＤＦ（１）、ＰＤＦ（２））の平均輝度の偏差に起因したフリッカーを防止することができない。
【００５５】
一方、図６ｂに図示したように、図１の液晶表示装置１００であると、シンク装置１４０は、負の電圧レベルの画素電圧（ＶＰＩＸ）が時間が流れるにつれて増加（即ち、画素電圧（ＶＰＩＸ）の絶対値が小さくなる）するに伴い、表示パネル１４４に印加（具体的に、各画素回路１４６内の液晶素子（ＬＣ）の他端に印加）される共通電圧（ＶＣＯＭ）を増加させるので、パネル駆動フレーム（ＰＤＦ（１）、ＰＤＦ（２））のフレームレートが可変とされても、パネル駆動フレーム（ＰＤＦ（１）、ＰＤＦ（２））の間中に、各画素回路１４６内の液晶素子（ＬＣ）の両端にかかる平均電圧差（ＣＡＶ１、ＣＡＶ２）についての、パネル駆動フレーム（ＰＤＦ（１）、ＰＤＦ（２））同士の間の偏差が減少（または、最小化）されうる。例えば、第２パネル駆動フレーム（ＰＤＦ（２））は第１パネル駆動フレーム（ＰＤＦ（１））よりフレームレートが小さい（即ち、時間が長い）ので、第２パネル駆動フレーム（ＰＤＦ（２））では第１パネル駆動フレーム（ＰＤＦ（１））より画素電圧（ＶＰＩＸ）の漏洩が多い。しかしながら、シンク装置１４０は、前記画素電圧（ＶＰＩＸ）が増加するに伴い、前記共通電圧（ＶＣＯＭ）も共に増加させるので、第１パネル駆動フレーム（ＰＤＦ（１））の平均電圧差（ＣＡＶ１）と第２パネル駆動フレーム（ＰＤＦ（２））の平均電圧差（ＣＡＶ２）との間の偏差は減少（または、最小化）しうる。この際、第１パネル駆動フレーム（ＰＤＦ（１））の平均電圧差（ＣＡＶ１）と、第２パネル駆動フレーム（ＰＤＦ（２））との平均電圧差（ＣＡＶ２）は、それぞれ、第１パネル駆動フレーム（ＰＤＦ（１））の平均輝度と、第２パネル駆動フレーム（ＰＤＦ（２））の平均輝度を決定するので、第１パネル駆動フレーム（ＰＤＦ（１））の平均輝度と、第２パネル駆動フレーム（ＰＤＦ（２））の平均輝度との間の偏差も減少（または、最小化）するのであり、それによって、ユーザは、第１パネル駆動フレーム（ＰＤＦ（１））の平均輝度と、第２パネル駆動フレーム（ＰＤＦ（２））の平均輝度との間の偏差に起因したフリッカーを認知しえない。即ち、図１の液晶表示装置１００はパネル駆動フレーム（ＰＤＦ（１）、ＰＤＦ（２））のフレームレートが可変とされてもパネル駆動フレーム（ＰＤＦ（１）、ＰＤＦ（２））の平均輝度の偏差に起因したフリッカーを防止することができる。
【００５６】
一実施形態で、図６ｂに図示したように、シンク装置１４０は、表示パネル１４４に印加（具体的に、各画素回路１４６内の液晶素子（ＬＣ）の他端に印加）される共通電圧（ＶＣＯＭ）を線形的に増加させることができる。他の実施形態で、シンク装置１４０は、表示パネル１４４に印加（具体的に、各画素回路１４６内の液晶素子（ＬＣ）の他端に印加）される共通電圧（ＶＣＯＭ）を非線形的に増加させることができる。一方、シンク装置１４０は、パネル駆動フレーム（ＰＤＦ（１）、ＰＤＦ（２））ごとの開始時点で、表示パネル１４４に印加（具体的に、各画素回路１４６内の液晶素子（ＬＣ）の他端に印加）される共通電圧（ＶＣＯＭ）について、基準電圧レベル（ＲＶＬ）を有するようにリセットすることができる。一実施形態で、図６ｂに図示したように、シンク装置１４０は、パネル駆動フレーム（ＰＤＦ（１）、ＰＤＦ（２））ごとの開始時点で前記共通電圧（ＶＣＯＭ）を増加させ始めることができる。他の実施形態で、シンク装置１４０は、パネル駆動フレーム（ＰＤＦ（１）、ＰＤＦ（２））ごとの開始時点から、既に設定された時間だけ経過した第１時点にて、前記共通電圧（ＶＣＯＭ）を増加させ始めることができる。例えば、パネル駆動フレーム（ＰＤＦ（１）、ＰＤＦ（２））内の垂直ブランク区間（ＶＢ）の開始時点にて、または、パネル駆動フレーム（ＰＤＦ（１）、ＰＤＦ（２））の開始時点からパネル駆動フレーム（ＰＤＦ（１）、ＰＤＦ（２））の最小許容時間だけ経過した時点にて、前記共通電圧（ＶＣＯＭ）を増加させ始めることができる。このように、液晶表示装置１００は、各画素回路１４６内の液晶素子（ＬＣ）の一端に印加される負の電圧レベルの画素電圧（ＶＰＩＸ）が時間の流れにつれて増加しても、シンク装置１４０が、各画素回路１４６内の液晶素子（ＬＣ）の他端に印加される共通電圧（ＶＣＯＭ）について、パネル駆動フレーム（ＰＤＦ（１）、ＰＤＦ（２））ごとの開始時点で、基準電圧レベル（ＲＶＬ）を有するようにリセットした後、前記共通電圧（ＶＣＯＭ）を増加させるようにすることによって、パネル駆動フレーム（ＰＤＦ（１）、ＰＤＦ（２））の平均輝度の偏差を減少（または、最小化）させて、ユーザが認知可能なフリッカーが発生することを防止することができる。その結果、液晶表示装置１００はユーザに高品質のイメージを提供することができる。
【００５７】
図７ａ及び図７ｂは、図１の液晶表示装置におけるシンク装置がパネル駆動フレームの開始時点で共通電圧を調節し始める例を示す図である。
【００５８】
図７ａ及び図７ｂを参照すると、シンク装置１４０は、パネル駆動フレーム（ＰＤＦ（１）、ＰＤＦ（２）、ＰＤＦ（３）、．．．）の開始時点で共通電圧（ＶＣＯＭ）を調節し始めることができる。一方、説明の便宜のために、図７ａ及び図７ｂでは、表示パネル１４４に印加（具体的に、各画素回路１４６内の液晶素子（ＬＣ）の一端に印加）される画素電圧（ＶＰＩＸ）が正の電圧レベルを有し、シンク装置１４０が表示パネル１４４に印加（具体的に、各画素回路１４６内の液晶素子（ＬＣ）の他端に印加）される共通電圧（ＶＣＯＭ）を減少させることが図示されている。図７ａ及び図７ｂに図示したように、シンク装置１４０は、パネル駆動フレーム（ＰＤＦ（１）、ＰＤＦ（２）、ＰＤＦ（３）、．．．）の開始時点で、前記共通電圧（ＶＣＯＭ）について基準電圧レベル（ＲＶＬ）を有するようにリセットすることができる。したがって、シンク装置１４０は、基準電圧レベル（ＲＶＬ）を有する共通電圧（ＶＣＯＭ）を、パネル駆動フレーム（ＰＤＦ（１）、ＰＤＦ（２）、ＰＤＦ（３）、．．．）の開始時点から、時間が流れるにつれて減少させるようにすることができる。一実施形態で、図７ａに図示したように、シンク装置１４０は、基準電圧レベル（ＲＶＬ）を有する共通電圧（ＶＣＯＭ）をパネル駆動フレーム（ＰＤＦ（１）、ＰＤＦ（２）、ＰＤＦ（３）、．．．）の開始時点から、時間が流れるにつれて線形的に減少させるようにすることができる。他の実施形態で、図７ｂに図示したように、シンク装置１４０は、基準電圧レベル（ＲＶＬ）を有する共通電圧（ＶＣＯＭ）を、パネル駆動フレーム（ＰＤＦ（１）、ＰＤＦ（２）、ＰＤＦ（３）、．．．）の開始時点から、時間が流れるにつれて非線形的に減少させるようにすることができる。その結果、パネル駆動フレーム（ＰＤＦ（１）、ＰＤＦ（２）、ＰＤＦ（３）、．．．）の平均電圧差の間の偏差が減少（または、最小化）するのであり、それによって、パネル駆動フレーム（ＰＤＦ（１）、ＰＤＦ（２）、ＰＤＦ（３）、．．．）の平均輝度の間の偏差が減少（または、最小化）して、ユーザはパネル駆動フレーム（ＰＤＦ（１）、ＰＤＦ（２）、ＰＤＦ（３）、．．．）の平均輝度の偏差に起因したフリッカーを認知しえない。このことから、液晶表示装置１００はユーザに高品質のイメージを提供することができる。
【００５９】
図８ａ及び図８ｂは、図１の液晶表示装置にて、シンク装置が、パネル駆動フレームの開始時点からパネル駆動フレームの最小許容時間だけ経過した時点で共通電圧を調節し始める例を示す図である。
【００６０】
図８ａ及び図８ｂを参照すると、シンク装置１４０は、パネル駆動フレーム（ＰＤＦ（１）、ＰＤＦ（２）、ＰＤＦ（３）、．．．）の開始時点から、パネル駆動フレーム（ＰＤＦ（１）、ＰＤＦ（２）、ＰＤＦ（３）、．．．）の最小許容時間（ＭＩＮ）だけ経過した時点で、共通電圧（ＶＣＯＭ）を調節し始めることができる。この際、パネル駆動フレーム（ＰＤＦ（１）、ＰＤＦ（２）、ＰＤＦ（３）、．．．）の最小許容時間（ＭＩＮ）は、パネル駆動フレーム（ＰＤＦ（１）、ＰＤＦ（２）、ＰＤＦ（３）、．．．）の最大駆動周波数に対応する。一方、説明の便宜のために、図８ａ及び図８ｂでは表示パネル１４４に印加（具体的に、各画素回路１４６内の液晶素子（ＬＣ）の一端に印加）される画素電圧（ＶＰＩＸ）が正の電圧レベルを有し、シンク装置１４０が表示パネル１４４に印加（具体的に、各画素回路１４６内の液晶素子（ＬＣ）の他端に印加）される共通電圧（ＶＣＯＭ）を減少させることが図示されている。図８ａ及び図８ｂに図示したように、シンク装置１４０は、パネル駆動フレーム（ＰＤＦ（１）、ＰＤＦ（２）、ＰＤＦ（３）、．．．）の開始時点で、前記共通電圧（ＶＣＯＭ）について基準電圧レベル（ＲＶＬ）を有するようにリセットすることができる。以後、シンク装置１４０は、パネル駆動フレーム（ＰＤＦ（１）、ＰＤＦ（２）、ＰＤＦ（３）、．．．）の開始時点から、パネル駆動フレーム（ＰＤＦ（１）、ＰＤＦ（２）、ＰＤＦ（３）、．．．）の最小許容時間（ＭＩＮ）だけ経過した時点までにわたって、前記共通電圧（ＶＣＯＭ）を基準電圧レベル（ＲＶＬ）に維持することができる。次に、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）の開始時点よりパネル駆動フレーム（ＰＤＦ（１）、ＰＤＦ（２）、ＰＤＦ（３）、．．．）の最小許容時間（ＭＩＮ）だけ経過した時点から、時間が流れるにつれて減少させるようにすることができる。一実施形態で、図８ａに図示したように、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）の開始時点よりパネル駆動フレーム（ＰＤＦ（１）、ＰＤＦ（２）、ＰＤＦ（３）、．．．）の最小許容時間（ＭＩＮ）だけ経過した時点から、時間が流れるにつれて線形的に減少させるようにすることができる。他の実施形態で、図８ｂに図示したように、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）の開始時点よりパネル駆動フレーム（ＰＤＦ（１）、ＰＤＦ（２）、ＰＤＦ（３）、．．．）の最小許容時間（ＭＩＮ）だけ経過した時点から、時間が流れるにつれて非線形的に減少させるようにすることができる。その結果、パネル駆動フレーム（ＰＤＦ（１）、ＰＤＦ（２）、ＰＤＦ（３）、．．．）における平均電圧差の間の偏差が減少（または、最小化）するのであり、それによって、パネル駆動フレーム（ＰＤＦ（１）、ＰＤＦ（２）、ＰＤＦ（３）、．．．）における平均輝度の間の偏差が減少（または、最小化）して、ユーザは、パネル駆動フレーム（ＰＤＦ（１）、ＰＤＦ（２）、ＰＤＦ（３）、．．．）の平均輝度偏差に起因したフリッカーを認知しえない。このことから、液晶表示装置１００はユーザに高品質のイメージを提供することができる。
【００６１】
図９ａ及び図９ｂは、図１の液晶表示装置にて、シンク装置がパネル駆動フレーム内の垂直ブランク区間の開始時点で共通電圧を調節し始める例を示す図である。
【００６２】
図９ａ及び図９ｂを参照すると、シンク装置１４０は、パネル駆動フレーム（ＰＤＦ（１）、ＰＤＦ（２）、ＰＤＦ（３）、．．．）内の垂直ブランク区間（ＶＢ）の開始時点で、共通電圧（ＶＣＯＭ）を調節し始めることができる。一方、説明の便宜のために、図９ａ及び図９ｂでは、表示パネル１４４に印加（具体的に、各画素回路１４６内の液晶素子（ＬＣ）の一端に印加）される画素電圧（ＶＰＩＸ）が正の電圧レベルを有し、シンク装置１４０が表示パネル１４４に印加（具体的に、各画素回路１４６内の液晶素子（ＬＣ）の他端に印加）される共通電圧（ＶＣＯＭ）を減少させることが図示されている。図９ａ及び図９ｂに図示したように、シンク装置１４０は、パネル駆動フレーム（ＰＤＦ（１）、ＰＤＦ（２）、ＰＤＦ（３）、．．．）の開始時点で、前記共通電圧（ＶＣＯＭ）について基準電圧レベル（ＲＶＬ）を有するようにリセットすることができる。以後、シンク装置１４０は、パネル駆動フレーム（ＰＤＦ（１）、ＰＤＦ（２）、ＰＤＦ（３）、．．．）の開始時点から、パネル駆動フレーム（ＰＤＦ（１）、ＰＤＦ（２）、ＰＤＦ（３）、．．．）内の垂直ブランク区間（ＶＢ）の開始時点までにわたって、前記共通電圧（ＶＣＯＭ）を基準電圧レベル（ＲＶＬ）に維持することができる。次に、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）内の垂直ブランク区間（ＶＢ）の開始時点から、時間が流れるにつれて減少させるようにすることができる。一実施形態で、図９ａに図示したように、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）内の垂直ブランク区間（ＶＢ）の開始時点から、時間が流れるにつれて線形的に減少させるようにすることができる。他の実施形態で、図９ｂに図示したように、シンク装置１４０は、基準電圧レベル（ＲＶＬ）を有する共通電圧（ＶＣＯＭ）について、パネル駆動フレーム（ＰＤＦ（１）、ＰＤＦ（２）、ＰＤＦ（３）、．．．）内の垂直ブランク区間（ＶＢ）の開始時点から、時間が流れるにつれて非線形的に減少させるようにすることができる。その結果、パネル駆動フレーム（ＰＤＦ（１）、ＰＤＦ（２）、ＰＤＦ（３）、．．．）における平均電圧差の間の偏差が減少（または、最小化）するのであり、それによって、パネル駆動フレーム（ＰＤＦ（１）、ＰＤＦ（２）、ＰＤＦ（３）、．．．）における平均輝度の間の偏差が減少（または、最小化）することで、ユーザは、パネル駆動フレーム（ＰＤＦ（１）、ＰＤＦ（２）、ＰＤＦ（３）、．．．）の平均輝度の偏差に起因したフリッカーを認知しえない。このことから、液晶表示装置１００はユーザに高品質のイメージを提供することができる。
【００６３】
図１０は本発明の実施形態に係る電子機器を示すブロック図であり、図１１は図１０の電子機器がスマートフォンとして具現された一例を示す図であり、図１２は、図１０の電子機器がヘッドマウントディスプレイ（head mounted display；ＨＭＤ）として具現された一例を示す図である。
【００６４】
図１０から図１２を参照すると、電子機器５００は、プロセッサ５１０、メモリ装置５２０、ストレージ装置５３０、入出力装置５４０、パワーサプライ５５０、及び液晶表示装置５６０を含むことができる。ここで、液晶表示装置５６０は、図１の液晶表示装置１００でありうる。また、電子機器５００は、ビデオカード、サウンドカード、メモリカード、ＵＳＢ装置などと通信するか、または他のシステムと通信できるいろいろなポート（port）をさらに含むことができる。一実施形態で、図１１に図示したように、電子機器５００はスマートフォンとして具現されうる。他の実施形態で、図１２に図示したように、電子機器５００はヘッドマウントディスプレイとして具現されうる。但し、これは例示的なものであって、電子機器５００がそれに限定されるものではない。例えば、電子機器５００は携帯電話、ビデオホン、スマートパッド、スマートウォッチ、タブレットＰＣ、車両用ナビゲーション、テレビ、コンピュータモニター、ノートブックなどとしても具現されうる。
【００６５】
プロセッサ５１０は、特定の計算またはタスク（task）を遂行することができる。実施形態に従って、プロセッサ５１０はマイクロプロセッサ（micro processor）、中央処理ユニット（central processing unit；ＣＰＵ）、アプリケーションプロセッサ（application processor；ＡＰ）などでありうる。プロセッサ５１０は、アドレスバス（address bus）、制御バス（control bus）、及びデータバス（data bus）などを介して他の構成要素に連結されうる。実施形態によっては、プロセッサ５１０は、周辺構成要素相互連結（peripheral component interconnect；ＰＣＩ）バスといった拡張バスにも連結されうる。メモリ装置５２０は、電子機器５００の動作に必要なデータを格納することができる。例えば、メモリ装置５２０は、イーピーロム（Erasable Programmable Read-Only Memory；ＥＰＲＯＭ）装置、イーイーピーロム（Electrically Erasable Programmable Read-Only Memory；ＥＥＰＲＯＭ）装置、フラッシュメモリ装置（flash memory device）、ピーラム（Phase Change Random Access Memory；ＰＲＡＭ）装置、アールラム （Resistance Random Access Memory；ＲＲＡＭ（登録商標））装置、エヌエフジーエム （Nano Floating Gate Memory；ＮＦＧＭ）装置、ポリマーラム（Polymer Random Access Memory；ＰｏＲＡＭ）装置、エムラム（Magnetic Random Access Memory；ＭＲＡＭ）、エフラム（Ferroelectric Random Access Memory；ＦＲＡＭ（登録商標））装置などの不揮発性メモリ装置、及び／又は、ディーラム（Dynamic Random Access Memory；ＤＲＡＭ）装置、エスラム（Static Random Access Memory；ＳＲＡＭ）装置、モバイル（mobile）ＤＲＡＭ装置などの揮発性メモリ装置を含むことができる。ストレージ装置５３０は、ソリッドステートドライブ（solid state drive；ＳＳＤ）、ハードディスクドライブ（harddisk drive；ＨＤＤ）、シーディーロム（ＣＤ−ＲＯＭ）などを含むことができる。入出力（Ｉ／Ｏ）装置５４０は、キーボード、キーパッド、タッチパッド、タッチスクリーン、マウス装置などの入力手段、及び、スピーカー、プリンタなどの出力手段を含むことができる。実施形態によっては、入出力装置５４０は液晶表示装置５６０を含むこともできる。パワーサプライ５５０は、電子機器５００の動作に必要なパワーを供給することができる。
【００６６】
液晶表示装置５６０は、前記バスまたは他の通信リンクを通じて他の構成要素に連結されうる。具体的に、液晶表示装置５６０は、所定のインターフェースを介してデータ通信を互いに遂行する、ソース装置とシンク装置を含むことができる。ソース装置は、シンク装置にイメージデータを出力することができる。シンク装置は、ソース装置からイメージデータを受信してイメージデータに基づいて表示動作を遂行することができる。ソース装置は、表示動作が遂行される間中にイメージデータを構成するイメージフレームのフレームレートを可変とし、シンク装置は、イメージフレームのフレームレートが可変とされることによって、表示動作のためのパネル駆動フレーム内の垂直ブランク区間の長さ（時間）を調節することでパネル駆動フレームのフレームレートを可変とすることができる。この際、シンク装置は、パネル駆動フレームのフレームレートを変化させつつ、パネル駆動フレーム内のアクティブ区間の長さ（時間）については一定に維持することができる。前述したように、液晶表示装置５６０は、パネル駆動フレームの平均輝度の偏差を減少（または、最小化）させることで、ユーザが認知可能なフリッカーが発生することを防止することができる。このために、シンク装置は、パネル駆動フレームのフレームレートを変化させるに伴って、シンク装置に含まれた表示パネルに印加される共通電圧を調節することができる。一実施形態で、シンク装置は、表示パネルに印加される共通電圧を線形的に調節することができる。例えば、シンク装置は、表示パネルに印加される画素電圧が正の電圧レベルを有する時、表示パネルに印加される共通電圧を線形的に減少させることができ、表示パネルに印加される画素電圧が負の電圧レベルを有する時、表示パネルに印加される共通電圧を線形的に増加させることができる。他の実施形態で、シンク装置は表示パネルに印加される共通電圧を非線形的に調節することができる。例えば、シンク装置は、表示パネルに印加される画素電圧が正の電圧レベルを有する時、表示パネルに印加される共通電圧を非線形的に減少させることができ、表示パネルに印加される画素電圧が負の電圧レベルを有する時、表示パネルに印加される共通電圧を非線形的に増加させることができる。一方、シンク装置は、表示パネルに印加される共通電圧について、パネル駆動フレームごとの開始時点で基準電圧レベルを有するようにリセットし、前記共通電圧をパネル駆動フレームごとの開始時点にて、または、パネル駆動フレームごとの開始時点から、既に設定された時間だけ経過した所定の時点にて、調節し始めることができる。但し、これに対しては前述したことがあるので、それに対する重複説明は省略する。
【産業上の利用可能性】
【００６７】
本発明は液晶表示装置及びこれを含む全ての電子機器に適用できる。例えば、本発明は、携帯電話、スマートフォン、ビデオホン、スマートパッド、スマートウォッチ、タブレットＰＣ、車両用ナビゲーションシステム、テレビ、コンピュータモニター、ノートブック、デジタルカメラ、ヘッドマウントディスプレイなどに適用できる。
【００６８】
以上では本発明の例示的な実施形態を参照して説明したが、該当技術分野で通常の知識を有する者であれば、以下の特許請求範囲に記載された本発明の思想及び領域から逸脱しない範囲内で本発明を多様に修正及び変更させることができることを理解することができる。
【００６９】
いくつかの好ましい実施形態においては、下記のとおりである。
【００７０】
グラフィック処理装置（graphic processing unit；ＧＰＵ）などのソース（source）装置から、液晶表示パネルからなるシンク（sink）装置へと、イメージデータを転送するにあたり、消費電力を最小化するなどの目的で、イメージフレームのフレームレートをリアルタイムに変更することが行われている。
【００７１】
ソース（source）装置でのフレームレート（イメージフレームのフレームレート）と、シンク（sink）装置のフレームレート（パネル駆動フレームのフレームレート）とを一致させることで、ティアリング（tearing）やスタッタリング（stuttering）を防止することができる。
【００７２】
ところが、パネル駆動フレーム毎（ごと）に平均輝度が変動することから、フリッカー（flicker）が現れてしまう。
そこで、次のＡ〜Ｂのとおりとしている。
【００７３】
Ａ  パネル駆動フレーム中、映像書き込み・駆動期間（アクティブ区間）の長さ(時間)は一定に保ちつつ、垂直ブランキング・ホールド期間（垂直ブランク区間；VBI: Vertical Blanking Interval）の長さ(時間)を増減させることで、パネル駆動フレームのフレームレートを、映像入力信号のフレームレートに合わせる。
これにより、安定した映像書き込みを行うことで、書き込み不良による表示ムラを防止することができる。
【００７４】
Ｂ  各パネル駆動フレーム中にて、画素電圧の減衰に対応して、適宜に、共通電圧について、画素電圧との電位差が大きくなるように変化させることで、液晶層に印加する電位差、及び、輝度の低下を防止するかまたは小さくする。
これにより、パネル駆動フレームごとの輝度のばらつきによる、フリッカの発生を防止または低減することができる。
【００７５】
具体的な実施形態では、下記Ｂ１〜Ｂ３のとおりとすることができる。
【００７６】
Ｂ１  各パネル駆動フレームの開始時点から、特には全期間にわたって、共通電圧について、一様に（常に）増加させるか、または、一様に減少させる。
例えば、線形的に増減させるか、または変化率が徐々に小さくなるように二次曲線的に増減させる。これにより、各パネル駆動フレーム中における、液晶層に印加する電位差の減衰を防ぐ。
（図５a〜７ｂ）
【００７７】
Ｂ２  共通電圧についての一様な増加または減少を、垂直ブランキング・ホールド期間（垂直ブランク区間）の開始時点または、この前後の適当な時点で開始する。
例えば、パネル駆動フレームの開始から所定期間経過後に、開始する。
（図8a〜9b）
【００７８】
Ｂ３  共通電圧についての一様な増加または減少は、パネル駆動フレームが、上記所定期間より長くなった場合にだけ行う。
特には、パネル駆動フレームの開始から所定期間経過後に、開始する。
（図8a〜8b）
【符号の説明】
【００７９】
１００    表示装置
１２０    ソース装置
１２２    グラフィック処理ユニット
１４０    シンク装置
１４２    表示パネル駆動回路
１４４    表示パネル
１４６    画素回路
５００    電子機器
５１０    プロセッサ
５２０    メモリ装置
５３０    ストレージ装置
５４０    入出力装置
５５０    パワーサプライ
５６０    液晶表示装置
【図１】
2019128591.tif 000003
【図２】
2019128591.tif 000004
【図３】
2019128591.tif 000005
【図４】
2019128591.tif 000006
【図５ａ】
2019128591.tif 000007
【図５ｂ】
2019128591.tif 000008
【図６ａ】
2019128591.tif 000009
【図６ｂ】
2019128591.tif 000010
【図７ａ】
2019128591.tif 000011
【図７ｂ】
2019128591.tif 000012
【図８ａ】
2019128591.tif 000013
【図８ｂ】
2019128591.tif 000014
【図９ａ】
2019128591.tif 000015
【図９ｂ】
2019128591.tif 000016
【図１０】
2019128591.tif 000017
【図１１】
2019128591.tif 000018
【図１２】
2019128591.tif 000019